(57)【特許請求の範囲】
【請求項１】
脚の上端に設けた座支持部に第１リンク要素と第２リンク要素とを設けるとともに座の座受を前記第１リンク要素と第２リンク要素とに接続し、前記座支持部、前記第１リンク要素、前記座受、及び、前記第２リンク要素を構成要素とするリンク機構により座を背もたれと連動してロッキング動作可能に構成した椅子であって、
左右１対の縦杆と、前記背もたれの上部に位置させてこれら縦杆をつなぐように横架させた横杆とを有する背もたれフレームの前面に、背もたれ面を形成する張り部材を前記横杆から離間させた状態で取り付けるとともに、前記横杆に、後方に向けて凸となるように湾曲したハンガー本体とハンガー支柱とを具備するハンガー部をハンガー取り付け具を介し
て取り付けるようにしており、
前記ハンガー支柱の上端に設けられたハンガー本体を後方に向けて凸となるように湾曲した背もたれの上端から後上方に離間した場所に位置させており、
側面視において、前記背もたれの張り部材の上端を支持する枠材が、前記ハンガーを取り付けている前記横杆よりも上方において後方に屈曲しており、
平面視において、前記ハンガー本体の前面の湾曲度合を、前記背もたれの上端の湾曲度合よりも大きくすることによって、平面視における前記ハンガー本体の両端部と前記背もたれの上端との間に形成される隙間が前記ハンガー本体の中央部と前記背もたれの上端との間に形成される隙間よりも狭くなるように設定されており、
前記ハンガー本体を、側面視において背もたれの上端における背もたれ面の延長上に配置していることを特徴とする椅子。
【請求項２】
前記ハンガー支柱の下端に、横杆に取り付け可能なハンガー取り付け具を設けるとともに、ハンガー取り付け具を前記横杆に取り付け、横杆よりも上方にハンガー本体を取り付けたことを特徴とする請求項１記載の椅子。
【請求項３】
前記ハンガー本体を、前記背もたれフレームよりも後方に配置している請求項１又は２記載の椅子。
【請求項４】
前記ハンガー支柱の下端に、横杆に取り付け可能なハンガー取り付け具を設け、前記ハンガー取り付け具後部から前記ハンガー支柱を上方に延伸させているとともに、前記ハンガー本体を前記背もたれフレームの縦杆よりも後方に位置させている請求項３記載の椅子。
【請求項５】
前記ハンガー支柱から前記ハンガー本体を左右に延伸させて設けているとともに、ハンガー本体の全幅寸法を背もたれの幅寸法と略同等とした請求項１、２、３又は４記載の椅子。
【発明の詳細な説明】
【技術分野】
【０００１】
本発明は、オフィス等において好適に使用され、衣類を掛けることができる椅子に関する。
【背景技術】
【０００２】
従来、オフィス等において、自席でデスクワークを行う際に、上着を脱いで自分の椅子の背もたれに掛けるということが行われていたが、この種の用途に広く使われている椅子は、背もたれの上端の床面からの高さ寸法が上着の丈寸法に比べて十分大きくないことが多く、そのため袖や裾が床にこすれて汚れる等の不具合が生じていた。これを解決するために、上着を掛けるためのハンガー本体を有するハンガー部を背凭れに取り付けた椅子が種々開発されている。（例えば、特許文献１及び２参照。）しかしながら、座を背もたれと連動してロッキング動作可能に構成した椅子は、背もたれの後傾動作が比較的大きいため、単に背もたれをハンガーを取り付けただけでは椅子に掛けた衣類の袖や裾が床にこすれるという不具合を十分に解消することが難しいという問題がある。
【先行技術文献】
【特許文献】
【０００３】
【特許文献１】実開昭４８‐４８９２２
【特許文献２】特開２０００‐１１６４９３
【発明の概要】
【発明が解決しようとする課題】
【０００４】
【０００５】
本発明は、以上に述べた課題を解決し、座を背もたれと連動してロッキング動作可能に構成した椅子において、背もたれを後傾させても、椅子に掛けた衣類の袖や裾が床にこすれにくくすべく構成するものである。
【課題を解決するための手段】
【０００６】
すなわち本発明に係る椅子は、脚の上端に設けた座支持部に第１リンク要素と第２リンク要素とを設けるとともに座の座受を前記第１リンク要素と第２リンク要素とに接続し、前記座支持部、前記第１リンク要素、前記座受、及び、前記第２リンク要素を構成要素とするリンク機構により座を背もたれと連動してロッキング動作可能に構成した椅子であって、左右１対の縦杆と、前記背もたれの上部に位置させてこれら縦杆をつなぐように横架させた横杆とを有する背もたれフレームの前面に、背もたれ面を形成する張り部材を前記横杆から離間させた状態で取り付けるとともに、前記横杆に、後方に向けて凸となるように湾曲したハンガー本体とハンガー支柱とを具備するハンガー部をハンガー取り付け具を介して取り付けるようにしており、前記ハンガー支柱の上端に設けられたハンガー本体を後方に向けて凸となるように湾曲した背もたれの上端から後上方に離間した場所に位置させており、側面視において、前記背もたれの張り部材の上端を支持する枠材が、前記ハンガーを取り付けている前記横杆よりも上方において後方に屈曲しており、平面視において、前記ハンガー本体の前面の湾曲度合を、前記背もたれの上端の湾曲度合よりも大きくすることによって、平面視における前記ハンガー本体の両端部と前記背もたれの上端との間に形成される隙間が前記ハンガー本体の中央部と前記背もたれの上端との間に形成される隙間よりも狭くなるように設定されており、前記ハンガー本体を、側面視において背もたれの上端における背もたれ面の延長上に配置していることを特徴とする。
【０００７】
このように構成したものであれば、袖や裾を床に接近しにくくでき、これらが床にこすれて汚れる不具合の発生を抑えることができるようになる。
【０００８】
このような椅子を実現する態様として、前記ハンガー支柱の下端に、横杆に取り付け可能なハンガー取り付け具を設けるとともに、ハンガー取付具を前記横杆に取り付け、横杆よりも上方にハンガー本体を取り付けたものが挙げられる。
【０００９】
このような椅子を実現する態様として、前記ハンガー本体を、前記背もたれフレームよりも後方に配置しているものが挙げられる。
【００１０】
特に好ましくは、前記ハンガー支柱の下端に、横杆に取り付け可能なハンガー取り付け具を設け、前記ハンガー取り付け具後部から前記ハンガー支柱を上方に延伸させているとともに、前記ハンガー本体を前記背もたれフレームの縦杆よりも後方に位置させているものが挙げられる。
【００１１】
ハンガーの態様としては、前記ハンガー本体を平面視後方に凸となるように湾曲させた形状としている。
【００１２】
ハンガーのさらに好適な態様としては、前記ハンガー支柱から前記ハンガー本体を左右に延伸させて設けているとともに、ハンガー本体の全幅寸法を背もたれの幅寸法と略同等としたものが挙げられる。
【００１３】
前記ハンガー本体を、側面視において背もたれの上端における背もたれ面の延長上に配置している。
【００１４】
【００１５】
【００１６】
【００１７】
【００１８】
【００１９】
なお、本発明においては、本発明に係る椅子の着座者が向かう方向を前方とする。
【発明の効果】
【００２０】
本発明のように構成した椅子は、袖や裾を床に接近しにくくでき、これらが床にこすれて汚れる不具合の発生を抑えることができる。
【図面の簡単な説明】
【００２１】
【図１】本発明の第１実施形態に係る椅子の正面図。
【図２】同実施形態に係る椅子の側面図。
【図３】同実施形態に係る椅子の背面図。
【図４】同実施形態に係る椅子の平面図。
【図５】本発明の第２実施形態に係る椅子の側面図。
【図６】同実施形態に係る椅子の背面図。
【図７】同実施形態に係る椅子の平面図。
【図８】本発明の他の実施態様に係る椅子の背面図。
【図９】本発明の他の実施態様に係る椅子の背面図。
【発明を実施するための形態】
【００２２】
以下、本発明の第１実施形態を、図面を参照して説明する。
【００２３】
本実施形態に係る椅子Ｃ１は、正面図を図１、側面図を図２、背面図を図３、平面図を図４に示すように、キャスタ１１１を有する脚１１と、座支持部１２と、座１３と、背もたれ１４と、肘１５とを具備する椅子本体１と、この椅子本体１に取り付けられ、衣類を掛けるよう構成された衣類掛け部たるハンガー本体２１を有し前記椅子本体に取り付けられるハンガー部２とを具備する。
【００２４】
前記椅子本体１は、前記図１〜図４に示すように、脚１１の上端から前上方に座支持部１２を延伸して設け、この座支持部１２の前端部に第１リンク要素１６、前記座支持部１２の後端部に第２リンク要素１７を設けている。そして、座受１３１を第１リンク要素１６及び第２リンク要素１７に接続し、この座受１３１を介して前記座１３を取り付けている。一方、背もたれ１４は、背もたれ下部フレーム１４１と、背もたれ上部フレーム１４２と、前記両フレーム１４１、１４２の前方において、着座者の背に触れる背もたれ面を形成する張り部材１４４と、前記両フレーム１４１、１４２と前記張り部材１４４との中間に位置し、背もたれ１４が受ける荷重に対応して弾性変形し、背もたれ１４にクッション性を付与する弾性部材１４３とを具備する。両フレーム１４１、１４２は、ともに第２リンク要素１７のブラケット部１７１に設けられた回転軸１７２に回転可能に取り付けられている。そして、前記背もたれ上部フレーム１４２を回転軸１７２中心に回転させ、背もたれ１４を図２に示す後傾位置Ｒまで後傾させることを可能にしている。また、弾性部材１４３は本実施形態では上弾性部材１４３ａと下弾性部材１４３ｂとからなり、図示し ない接続部を介して接続されている。なお、本実施形態では、前記座支持部１２、第１リンク要素１６、座受１３１、及び第２リンク要素１７を構成要素とする４辺リンク機構により、座１３をロッキング可能にし、また、前記背もたれ下部フレーム１４１を回転軸１７２中心に回転させることにより前方の図２に示す背骨指示位置Ｓまで突出させ、背骨を支持させるようにしているが、後者の機能は省略しても構わない。
【００２５】
前記ハンガー部２は、前記図１〜図３に示すように、ハンガー本体２１と、このハンガー本体２１から下方に延伸して設けたハンガー支柱２２とを具備し、ハンガー取り付け具３を介して前記椅子本体１、本実施形態では背もたれ１４に取り付けられる。そして、ハンガー本体２１は、背もたれ１４の上端１４ｘの後上方に位置し、このハンガー部２１に衣類ＣＬを掛けると、衣類ＣＬはその全体が背もたれ１４の後方に位置する。なお、本実施形態では、衣類ＣＬとして、標準的な体格を有する成人のスーツの上着ないしハーフコートを想定している。
【００２６】
しかして本実施形態では、前記図２〜図４に示すように、前記背もたれ１４の背面１４ａとの間に前記ハンガー本体２１に掛けられている衣類ＣＬを位置させることができ、背もたれ１４が後傾した状態において該衣類ＣＬを保持する機能を有する衣類保持部材４をさらに具備する。
【００２７】
具体的には、衣類保持部材４は、本実施形態では左右１対をなし、背もたれ上部フレーム１４２の下部にそれぞれ取り付けて固定するようにしている。さらに詳述すると、この衣類保持部材４は、前記図４に示すように、前記背もたれ上部フレーム１４２の側面から外方に延びる基部４１と、前記基部４１から後方に向けて湾曲して延びる側部４２と、前記側部からさらに椅子本体の幅方向中央に向かって湾曲し、背もたれ１４の後方において、略椅子本体１の幅方向に沿って、すなわち背もたれ１４の背面１４ａに略沿って延伸する形状の本体部４３とを一体に形成しているとともに、本体部４３の先端、すなわちこの衣類保持部材４の突出端４４が背もたれに近づくように形成している。また、前記側部４２は、その幅方向の位置を背もたれ１４の側端と略一致させている。すなわち、この衣類保持部材４は、前記突出端４４から幅方向位置が背もたれ１４の側端と略一致する位置まで延伸している。さらに、前記本体部４３は、背もたれ１４を起立させた状態では、図２に示すように、前記ハンガー本体２１及びこのハンガー本体２１に掛けられた衣類ＣＬの後方に位置する。すなわち、前記衣類ＣＬは背もたれ１４の背面１４ａと衣類保持部材４との間に位置する。そして、この衣類保持部材４の高さ位置は、本実施形態ではハンガー本体２１に掛けられた衣類ＣＬの下端近傍に設定している。一方、この衣類ＣＬは背もたれ１４の背面１４ａと衣類保持部材４との間に位置している。加えて、左右の衣類保持部材４の突出端４４間は離間しているとともに、前記突出端４４近傍の部位には、衣類ＣＬの滑り止めを行う機能を有する滑り止め部４５を形成している。前記滑り止め部４５は、具体的には、前記突出端４４近傍の部位の表面を、滑り止め作用を有する材料であるエラストマーにより形成しているが、エラストマーに代えて、ゴムや、エラストマー以外の軟質プラスチック等、他の滑り止め作用を有する材料により形成してもよい。
【００２８】
このように構成した椅子Ｃ１のハンガー本体２１に衣類ＣＬを掛けた状態で背もたれ１４を前記図２の想像線に示す位置まで後傾させると、ハンガー本体２１は背もたれ１４の上端１４ｘに追随して後下方に移動する。このとき、ハンガー本体２１に掛けられた衣類ＣＬはハンガー本体２１から鉛直下方に垂れ下がろうとすべく後下方に移動しようとする。しかし、背もたれ１４が後傾した状態では、前記衣類ＣＬは背もたれ１４の背面１４ａと衣類保持部材４、より具体的には前記本体部４３との間に位置し、すなわち衣類ＣＬの後方に衣類保持部材４、より具体的には前記本体部４３が位置するので、該衣類ＣＬがこの衣類保持部材４に当接することによりその後下方への移動が規制され、この衣類ＣＬは前記ハンガー本体２１だけでなく衣類保持部材４によっても保持される。より具体的には、前記突出端４４が前上方を向き、この突出端４４よりも基部４１寄り、すなわち基端寄りの部位が衣類ＣＬの荷重を受けてこの衣類ＣＬを保持する。そして、背もたれ１４を後傾させている間、衣類ＣＬの衣類保持部４に保持される部位より上方の部分は、背もたれ１４の背面１４ａとの離間幅を略一定に保つ。すなわち、本実施形態では前記衣類保持部材４の高さ位置をハンガー本体２１に掛けられた衣類ＣＬの下端近傍に設定しているので、衣類ＣＬの略全体が背もたれ１４の背面１４ａとの離間幅を略一定に保ちつつハンガー本体２１及び衣類保持部材４により保持される。このとき、前記衣類保持部材４に当接している衣類ＣＬの下端近傍の部位は、このような衣類保持部材４が存在しない場合と比較して前上方に位置する。
【００２９】
以上のように構成することにより、本実施形態に係る椅子Ｃ１は、衣類ＣＬを背もたれ１４の背面１４ａと衣類保持部材４との間に位置させることができ、このように衣類ＣＬを掛けた状態で背もたれ１４を後傾させても、衣類ＣＬの後方に位置する衣類保持部材４により衣類ＣＬが保持され、衣類ＣＬはこの衣類保持部材４より後方に移動しない。すなわち、この衣類保持部材４に保持される部位より上方の部分は、背もたれ１４の背面１４ａとの離間幅を略一定に保たれる。このとき、衣類保持部材４に保持される部位はこのような衣類保持部材４が存在しない場合と比較して前上方に位置する。従って、袖や裾が床に接近しにくくなる。このことにより、これらが床にこすれて汚れる不具合の発生を抑えることができるようになる。特に、ハンガー本体２１を有するハンガー部２を設けているので、このハンガー本体２１に衣類ＣＬを掛けるようにして、さらに上述した不具合を起こりにくくできる。加えて、前記衣類保持部材４の本体部４３は、背もたれ１４を起立させた状態ではハンガー本体２１より後方に位置するので、背もたれ１４が起立した状態では、衣類ＣＬがハンガー本体２１から鉛直に垂れ下がるとともに、前記本体部４３がさらにその後方に位置し、衣類ＣＬをこの本体部４３と背もたれ１４の背面１４ａとの間に位置させた状態で掛けることが容易である。
【００３０】
また、本実施形態では、前記衣類保持部材４を左右１対に背もたれ１４から突出させ、かつ離間させて設けているので、衣類保持部材４間の離間部分に衣類ＣＬを押し込むことにより、さらに簡単に衣類ＣＬを前記衣類保持部材４と背もたれ１４の背面１４ａとの間の空間に位置させることができる。
【００３１】
さらに、本実施形態では、前記突出端４４が背もたれ１４の後傾時に前上方を向き、この突出端４４よりも基部４１寄り、すなわち基端寄りの部位が衣類ＣＬの荷重を受けて保持するので、突出端４４間の衣類保持部材４が離間している部分から衣類ＣＬが落下することを防いでいる。
【００３２】
そして、衣類保持部材４は、前記突出端４４から幅方向位置が背もたれ１４の側端と同一となる位置まで延伸しているので、衣類ＣＬを背もたれ１４の背面１４ａと衣類保持部材４との間に位置させるために幅寄せをする必要がなく、このことにより、衣類保持部材４の部分で衣類ＣＬに皺ができてしまう不具合が起こりにくくなる。
【００３３】
加えて、衣類保持部材４は椅子本体１に取り付けて固定するようにしていて、椅子本体１に着脱可能であるので、必要でない場合には取り外しておくことができ、この場合でも、本発明の構成によれば、所期の目的を達成することができる。
【００３４】
次に、本発明の第２実施形態を、図面を参照して説明する。なお、上述した第１実施形態に対応する部位には、同一の名称及び符号を付している。
【００３５】
本実施形態に係る椅子Ｃ２は、側面図を図５、背面図を図６、平面図を図７に示すように、上述した第１実施形態に用いた椅子Ｃ１の椅子本体と同一の構成を有する椅子本体１と、この椅子本体１に取り付けられ、衣類ＣＬを掛けるよう構成されたハンガー本体２１を有し前記椅子本体に取り付けられるハンガー部２とを具備する。なお、本実施形態では、衣類ＣＬとして、標準的な体格を有する成人のスーツの上着ないしハーフコートを想定している。
【００３６】
前記椅子本体１及びハンガー部２は、上述した第１実施形態に用いたものと同一の構成及び機能を有するので、詳細な説明は省略する。
【００３７】
しかして本実施形態では、前記図５〜図７に示すように、前記背もたれ１４の背面１４ａとの間に前記ハンガー本体２１に掛けられている衣類ＣＬを位置させることができ、背もたれ１４が後傾した状態において該衣類ＣＬを保持する機能を有する衣類保持部材５をさらに具備する。さらに本実施形態では、前記衣類保持部材５を、背もたれ１４の背面１４ａと前記衣類保持部材５との間に衣類ＣＬ等を位置させることが可能な衣類保持位置Ｕと、背もたれ１４の背面１４ａからの後方への離間距離が前記衣類保持位置Ｕより少ない第２の位置たる収納位置Ｎとの間で移動可能に構成している。
【００３８】
具体的には、衣類保持部材５は、本実施形態では前記背もたれ上部フレーム１４２に取り付けられる。さらに衣類保持位置Ｕにおける状態について詳述すると、この衣類保持部材５は、前記図７に示すように、前記背もたれ上部フレーム１４２の側面から外方に延びる端部５１と、前記端部５１から後方に向けて湾曲して延びる側部５２と、前記側部からさらに椅子本体の幅方向中央に向かって湾曲し、背もたれ１４の後方において、略椅子本体１の幅方向に沿って、すなわち背もたれ１４の背面１４ａに略沿って延びる形状の本体部５３とを一体に形成している。また、この衣類保持部材５は、背もたれ１４の幅寸法の略全域にわたって設けられている。そして、この衣類保持部材５の背もたれ１４に向かう面は、その表面を軟質樹脂により形成している。さらに、この衣類保持部材５は、図示しない係止機構により衣類保持位置Ｕに保持されている。背もたれ１４を起立させ、かつこの衣類保持部材５を前記衣類保持位置Ｕに保持させた状態では、前記本体部５３は前記ハンガー本体２１及びこのハンガー本体２１に掛けられた衣類ＣＬの後方に位置する。すなわち、この衣類ＣＬは背もたれ１４の背面１４ａと衣類保持部材５との間に位置するとともに、前記本体部５３は前記ハンガー本体２１の後方に配置可能である。また、この衣類保持位置Ｕにおける本体部５３の高さ位置は、本実施形態ではハンガー本体２１に掛けられた衣類ＣＬの下端近傍に設定している。一方、係止機構を解除すると、前記端部５１を中心に回転し、全体が背もたれ１４の背面１４ａに略隙間なく沿う収納位置Ｎに移動する。
【００３９】
このように構成した椅子Ｃ２のハンガー本体２１に衣類ＣＬを掛け、衣類保持部材５を衣類保持位置Ｕに移動させて、衣類ＣＬを背もたれ１４の背面１４ａと前記衣類保持部材５、より具体的には前記本体部５３との間に位置させた状態で背もたれ１４を前記図５の想像線に示す位置まで後傾させると、ハンガー本体２１は背もたれ１４の上端１４ｘに追随して後下方に移動する。このとき、ハンガー本体２１に掛けられた衣類ＣＬはハンガー本体２１から鉛直下方に垂れ下がろうとすべく後下方に移動しようとする。しかし、背もたれ１４が後傾した状態では、前記衣類ＣＬは背もたれ１４の背面１４ａと衣類保持部材５、より具体的には前記本体部５３との間に位置し、すなわち衣類ＣＬの後方に衣類保持部材５の本体部５３が位置するので、該衣類ＣＬがこの衣類保持部材５に当接することによりその後下方への移動が規制され、この衣類ＣＬは前記ハンガー本体２１だけでなく衣類保持部材５によっても保持される。より具体的には、前記本体部５３に衣類ＣＬが当接し、この本体部５３が衣類ＣＬを保持する。そして、背もたれ１４を後傾させている間、衣類ＣＬの衣類保持部４に保持される部位より上方の部分は、背もたれ１４の背面１４ａとの離間幅を略一定に保つ。すなわち、本実施形態では衣類保持位置Ｕにおける前記本体部５３の高さ位置をハンガー本体２１に掛けられた衣類ＣＬの下端近傍に設定しているので、衣類ＣＬの略全体が背もたれ１４の背面１４ａとの離間幅を略一定に保ちつつハンガー本体２１及び衣類保持部材５により保持される。このとき、前記衣類保持部材５に当接している衣類ＣＬの下端近傍の部位は、このような衣類保持部材５が存在しない場合と比較して前上方に位置する。さらに、衣類ＣＬをハンガー本体２１に掛け、背もたれ１４の背面１４ａと衣類保持部材５との間に衣類を位置させたまま衣類保持部材５を前記収納位置Ｎに配置し、衣類ＣＬを背もたれ１４の背面１４ａに略密着させた状態に押さえるようにしてもよい。
【００４０】
以上のように構成することにより、本実施形態に係る椅子Ｃ２は、上述した第１実施形態に係る椅子Ｃ１と同様に、衣類ＣＬを背もたれ１４の背面１４ａと衣類保持部材５との間に位置させることができ、このように衣類ＣＬを掛けた状態で背もたれ１４を後傾させても、衣類ＣＬの後方に位置する衣類保持部材５により衣類ＣＬが保持され、衣類ＣＬはこの衣類保持部材５より後方に移動しない。すなわち、この衣類保持部材５に保持される部位より上方の部分は、背もたれ１４の背面１４ａとの離間幅を略一定に保たれる。このとき、衣類保持部材５に保持される部位はこのような衣類保持部材５が存在しない場合と比較して前上方に位置する。従って、袖や裾が床に接近しにくくなる。
【００４１】
さらに、本実施形態では、衣類保持部材５の非使用時には、図５及び図６の想像線に示す前記収納位置Ｎに収納しておけるので、この椅子Ｃ２の後方の通行の妨げにならないようにできる等、多様な使用態様に対応できる。
【００４２】
加えて、衣類保持部材５の背もたれ１４に向かう面の表面を軟質樹脂により形成しているので、背もたれ１４の後傾時に衣類ＣＬはこの軟質樹脂により形成している部分に当接し、衣類がずり落ちにくい。
【００４３】
その他、上述した第１実施形態で述べた椅子Ｃ１の構成による主要な効果は本実施形態に係る椅子Ｃ２のように構成することによっても得ることができる。
【００４４】
なお、本発明は以上に述べた実施形態に限られない。
【００４５】
例えば、衣類保持部は、該衣類保持部と背もたれの背面との間に衣類を位置させることが可能であれば任意に構成してよい。例えば、背面図を図８に示す椅子Ｃ３のように、上述した実施形態で用いた椅子本体１に、軸を中心に衣類保持位置と収納位置との間を移動可能に構成した衣類保持部材６を設ける態様が考えられる。また、背面図を図９に示す椅子Ｃ４のように、前記椅子本体１に、非使用時には背もたれ１４内部に収納しておき、使用時に引き出して背もたれ１４の背面１４ａに略沿うように張って前記背もたれ１４の背面１４ａとの間に衣類ＣＬを位置させることを可能に構成した、自動車や旅客機に広く用いられているシートベルトとして周知のものと同様の構成を有する帯状ないし紐状の衣類保持部材７を設ける態様も考えられる。
【００４６】
【００４７】
【００４８】
【００４９】
また、上述した実施形態では衣類として標準的な体格を有する成人用の上着ないしハーフコートを想定したが、ハンガー部等の衣類掛け部に略全身を覆う丈寸法を有するコートを丈方向に２つ折りにして掛けるようにしてもよいし、子供用の椅子を同様に構成してもよい。
【００５０】
【００５１】
【００５２】
その他、背もたれの上部にヘッドレストを設ける等、本発明の趣旨を損ねない範囲で種々に変形してよい。
【符号の説明】
【００５３】
Ｃ１〜Ｃ４…椅子
１…椅子本体
１４…背もたれ
１４ａ…背もたれの背面
２１…ハンガー本体（衣類掛け部）
４、５、６、７…衣類保持部材
４４…突出端
ＣＬ…衣類
Ｕ…衣類保持位置
Ｎ…収納位置
【図１】
0005214639.tif 000002
【図２】
0005214639.tif 000003
【図３】
0005214639.tif 000004
【図４】
0005214639.tif 000005
【図５】
0005214639.tif 000006
【図６】
0005214639.tif 000007
【図７】
0005214639.tif 000008
【図８】
0005214639.tif 000009
【図９】
0005214639.tif 000010